(57)【要約】【課題】  本発明は、リレーコイルおよびリレー制御装置が搭載された制御基板用寿命予告装置に関するものである。【解決手段】  本発明の劣化判断手段は、電流、電圧、抵抗の少なくとも一つの値と、予めリレーコイルが劣化しだす兆候を示す電流、電圧、抵抗の値とを比較し、予め決められた値を上回るか、あるいは下回った場合に前記リレーコイルが劣化したと判断する。前記予告手段は、前記劣化判断手段によって劣化であると判断した場合、リレーの寿命が近づいていることを予告する。【選択図】    図１
2007127522.tif 000002
【特許請求の範囲】
【請求項１】
リレーコイルおよびリレー制御装置が少なくとも搭載されている制御基板と、前記制御基板に搭載された電子部品を制御する制御手段とを備え、前記リレーコイルが劣化しだす兆候を把握して寿命を予告するリレーコイルおよびリレー制御装置が搭載された制御基板用寿命予告装置において、
前記リレーコイルを流れる電流、印加電圧、抵抗の少なくとも一つを監視する監視手段と、
前記監視手段によって得られた電流、電圧、抵抗の一つと、予め記憶されている電流、電圧、抵抗の一つとを比較して、前記リレーコイルが劣化しだす兆候を把握する劣化判断手段と、
前記劣化判断手段によって前記リレーコイルが劣化しだす兆候であると判断した場合、前記リレーコイルの寿命が近づいていることを予告する予告手段と、
から少なくとも構成されていることを特徴とするリレーコイルおよびリレー制御装置が搭載された制御基板用寿命予告装置。
【請求項２】
リレーコイルおよびリレー制御装置が少なくとも搭載されている制御基板と、前記制御基板に搭載された電子部品を制御する制御手段とを備え、前記リレーコイルが劣化しだす兆候を把握して寿命を予告するリレーコイルおよびリレー制御装置が搭載された制御基板用寿命予告装置において、
前記リレーコイルを流れる電流、印加電圧、抵抗の少なくとも一つを監視する監視手段と、
前記監視手段によって得られたリレーコイルの電流、電圧、抵抗の一つにおける所定時間当たりの変化を演算する比較演算手段と、
前記比較演算手段によって演算された前記リレーコイルの電流、電圧、抵抗の値の変化と、前記リレーコイルが劣化しだす兆候を表す予め記憶されているリレーコイルの電流、電圧、抵抗の値の変化とを比較判断する変化値比較判断手段と、
前記変化値比較判断手段によってリレーコイルが劣化しだす兆候であると判断した場合、前記リレーコイルの寿命が近づいていることを予告する予告手段と、  から少なくとも構成されていることを特徴とするリレーコイルおよびリレー制御装置が搭載された制御基板用寿命予告装置。
【請求項３】
リレーコイルおよびリレー制御装置が少なくとも搭載されている制御基板と、前記制御基板に搭載された電子部品を制御する制御手段とを備え、前記リレーコイルが劣化しだす兆候を把握して寿命を予告するリレーコイルおよびリレー制御装置が搭載された制御基板用寿命予告装置において、
前記リレーコイルを流れる電流、印加電圧、抵抗の少なくとも一つを監視する監視手段と、
前記監視手段によって得られた電流、電圧、抵抗の一つと、予め記憶されている電流、電圧、抵抗の一つとを比較して、前記リレーコイルが劣化しだす兆候を把握する劣化判断手段と、
前記監視手段によって得られた前記リレーコイルの電流、電圧、抵抗の一つにおける所定時間当たりの変化を演算する比較演算手段と、
前記比較演算手段によって演算された前記リレーコイルの電流、電圧、抵抗の値の変化と、前記リレーコイルが劣化しだす兆候を表す予め記憶されているリレーコイルの電流、電圧、抵抗の値の変化とを比較判断する変化値比較判断手段と、
前記劣化判断手段または前記変化値比較判断手段によって、前記リレーコイルが劣化しだす兆候であると判断した場合、前記リレーコイルの寿命が近づいていることを予告する予告手段と、
から少なくとも構成されていることを特徴とするリレーコイルおよびリレー制御装置が搭載された制御基板用寿命予告装置。
【請求項４】
リレーコイルおよびリレー制御装置が少なくとも搭載されている制御基板と、前記制御基板に搭載された電子部品を制御する制御手段とを備え、前記リレーコイルが劣化しだす兆候を把握して寿命を予告するリレーコイルおよびリレー制御装置が搭載された制御基板用寿命予告装置において、
前記リレーコイルを流れる電流または印加電圧を監視する監視手段と、
前記監視手段によって得られた電流または電圧によって前記リレーコイルの抵抗値に変換する抵抗値変換手段と、
前記抵抗値変換手段によって変換された前記リレーコイルの抵抗値または所定時間当たりに変化する抵抗値と、前記リレーコイルが劣化の兆候を表す予め記憶されているリレーコイルの抵抗値または所定時間当たりに変化する抵抗値とを比較判断する比較判断手段と、
前記比較判断手段によって前記リレーコイルが劣化しだす兆候であると判断した場合、リレー寿命が近づいていることを予告する予告手段と、
から少なくとも構成されていることを特徴とするリレーコイルおよびリレー制御装置が搭載された制御基板用寿命予告装置。
【請求項５】
前記制御基板は、使用積算時間がタイマーにより積算され、前記積算時間が一定時間を超えた場合、前記リレーコイルが劣化しだす兆候であると判断して予告する予告手段を備えていることを特徴とする請求項１から請求項４のいずれか１項に記載されたリレーコイルおよびリレー制御装置が搭載された制御基板用寿命予告装置。
【請求項６】
前記予告手段は、前記リレーコイルが劣化しだす兆候を表す予め記憶されているリレーコイルの電流、電圧、抵抗値と、前記リレーコイルが劣化しだす兆候を表す予め記憶されているリレーコイルの電流、電圧、抵抗値変化を複数として、予告を複数段階にすることを特徴とする請求項１から請求項５のいずれか１項に記載されたリレーコイルおよびリレー制御装置が搭載された制御基板用寿命予告装置。
【発明の詳細な説明】
【技術分野】
【０００１】
本発明は、リレーコイルおよびリレー制御装置、あるいは電子部品を搭載する制御基板において、各種電子部品とリレーコイルの寿命を比較すると、リレーコイルの寿命が一番短いことに着目し、前記リレーコイルの寿命が来る前に、前記リレーコイルが劣化しだす兆候により、前記リレーコイルの寿命を把握して、電子機器が機能停止に陥る前に、交換または修理等の対策を立て易くするリレーコイルおよびリレー制御装置が搭載された制御基板用寿命予告装置に関するものである。
【背景技術】
【０００２】
図６は突入電流抑制回路制御装置における従来例を説明するための図である。図６において、突入電流抑制回路制御装置は、交流電源１と、平滑コンデンサ２と、前記交流電源１と前記平滑コンデンサ２との間に接続された電流制限素子（制限抵抗）４と、前記電流制限素子４に並列に接続されたリレー接点部３と、前記電源回路を制御する制御回路（ＣＰＵ）５と、リレーコイル部６と、前記リレーコイル部６により前記リレー接点部３をＯＮ−ＯＦＦさせるためのスイッチ回路７とから構成されている。
【０００３】
前記突入電流抑制回路制御装置は、たとえば、交流電源１の投入により、前記電流制限素子４内を突入電流が流れるが、電流の増加により、前記電流制限素子４の抵抗値が急激に増加するため、突入電流の軽減が計られる。そして、前記突入電流抑制回路制御装置は、所定時間後に前記電流制限素子４に並列に接続されているリレー接点部３が短絡することにより、負荷電流がリレー接点部３側を流れるため、電力の損失を無くすことができる。また、前記突入電流抑制回路制御装置は、リレー接点部３およびリレーコイル部６が発熱を伴うために実装基板以外の部分に設置されている。前記のような突入電流抑制回路制御装置は、たとえば、特開平１１−２２５４３２号公報に記載されている。
【特許文献１】特開平１１−２２５４３２号公報
【発明の開示】
【発明が解決しようとする課題】
【０００４】
しかし、上述のような突入電流抑制回路制御装置は、負荷電流の大小にかかわらず、電源スイッチが投入されている間、リレー接点を接続するためのリレーコイルに電流が供給され続けていることになる。前記リレーコイルに流れ続ける電流は、発熱を伴い、銅線の被膜等が経年変化により劣化し、リレー自体の寿命を短くしていた。また、前記リレー接点は、比較的大電流が流れるだけでなく、ＯＮ−ＯＦＦを繰り返すために劣化して抵抗が増加する。前記リレーの劣化を防止するために、高価なリレーを使用することにより、前記電源装置の信頼性を保つようにしていた。特に、深夜電力を使用する貯湯式給湯装置あるいはエアコンディショナーは、使用時間が長く、また、製品寿命が長いため、信頼性の高い製品が要求されるので、高価なリレーが採用されていた。
【０００５】
前記製品寿命の長い電子機器は、一日中連続して使用されている場合が多いため、修理または交換に日数がかかると、ユーザにとって耐え難い場合がある。しかし、前記電子機器は、徐々に劣化が進行し、ある日突然、機能停止となる場合が多くある。
【０００６】
以上のような課題を解決するために、本発明は、リレーコイルおよびリレー制御装置が搭載された制御基板に取り付けられたリレーの寿命に着目し、リレーが劣化しだす兆候を把握することにより、電子機器が異常に停止することを事前に予告することができるリレーコイルおよびリレー制御装置が搭載された制御基板用寿命予告装置を提供することを目的とする。
【課題を解決するための手段】
【０００７】
（第１発明）
第１発明のリレーコイルおよびリレー制御装置が搭載された制御基板用寿命予告装置は、リレーコイルおよびリレー制御装置が少なくとも搭載されている制御基板と、前記制御基板に搭載された電子部品を制御する制御手段とを備え、前記リレーコイルが劣化しだす兆候を把握して寿命を予告するものであり、前記リレーコイルを流れる電流、印加電圧、抵抗の少なくとも一つを監視する監視手段と、前記監視手段によって得られた電流、電圧、抵抗の一つと、予め記憶されている電流、電圧、抵抗の一つとを比較して、前記リレーコイルが劣化しだす兆候を把握する劣化判断手段と、前記劣化判断手段によって前記リレーコイルが劣化しだす兆候であると判断した場合、前記リレーコイルの寿命が近づいていることを予告する予告手段とから少なくとも構成されていることを特徴とする。
【０００８】
（第２発明）
第２発明のリレーコイルおよびリレー制御装置が搭載された制御基板用寿命予告装置は、リレーコイルおよびリレー制御装置が少なくとも搭載されている制御基板と、前記制御基板に搭載された電子部品を制御する制御手段とを備え、前記リレーコイルが劣化しだす兆候を把握して寿命を予告するものであり、前記リレーコイルを流れる電流、印加電圧、抵抗の少なくとも一つを監視する監視手段と、前記監視手段によって得られたリレーコイルの電流、電圧、抵抗の一つにおける所定時間当たりの変化を演算する比較演算手段と、前記比較演算手段によって演算された前記リレーコイルの電流、電圧、抵抗の値の変化と、前記リレーコイルが劣化しだす兆候を表す予め記憶されているリレーコイルの電流、電圧、抵抗の値の変化とを比較判断する変化値比較判断手段と、前記変化値比較判断手段によってリレーコイルが劣化しだす兆候であると判断した場合、前記リレーコイルの寿命が近づいていることを予告する予告手段とから少なくとも構成されていることを特徴とする。
【０００９】
（第３発明）
第３発明のリレーコイルおよびリレー制御装置が搭載された制御基板用寿命予告装置は、リレーコイルおよびリレー制御装置が少なくとも搭載されている制御基板と、前記制御基板に搭載された電子部品を制御する制御手段とを備え、前記リレーコイルが劣化しだす兆候を把握して寿命を予告するものであり、前記リレーコイルを流れる電流、印加電圧、抵抗の少なくとも一つを監視する監視手段と、前記監視手段によって得られた電流、電圧、抵抗の一つと、予め記憶されている電流、電圧、抵抗の一つとを比較して、前記リレーコイルが劣化しだす兆候を把握する劣化判断手段と、前記監視手段によって得られた前記リレーコイルの電流、電圧、抵抗の一つにおける所定時間当たりの変化を演算する比較演算手段と、前記比較演算手段によって演算された前記リレーコイルの電流、電圧、抵抗の値の変化と、前記リレーコイルが劣化しだす兆候を表す予め記憶されているリレーコイルの電流、電圧、抵抗の値の変化とを比較判断する変化値比較判断手段と、前記劣化判断手段または前記変化値比較判断手段によって、前記リレーコイルが劣化しだす兆候であると判断した場合、前記リレーコイルの寿命が近づいていることを予告する予告手段とから少なくとも構成されていることを特徴とする。
【００１０】
（第４発明）
第４発明のリレーコイルおよびリレー制御装置が搭載された制御基板用寿命予告装置は、リレーコイルおよびリレー制御装置が少なくとも搭載されている制御基板と、前記制御基板に搭載された電子部品を制御する制御手段とを備え、前記リレーコイルが劣化しだす兆候を把握して寿命を予告するものであり、前記リレーコイルを流れる電流または印加電圧を監視する監視手段と、前記監視手段によって得られた電流または電圧によって前記リレーコイルの抵抗値に変換する抵抗値変換手段と、前記抵抗値変換手段によって変換された前記リレーコイルの抵抗値または所定時間当たりに変化する抵抗値と、前記リレーコイルが劣化の兆候を表す予め記憶されているリレーコイルの抵抗値または所定時間当たりに変化する抵抗値とを比較判断する比較判断手段と、前記比較判断手段によって前記リレーコイルが劣化しだす兆候であると判断した場合、リレー寿命が近づいていることを予告する予告手段とから少なくとも構成されていることを特徴とする。
【００１１】
（第５発明）
第５発明のリレーコイルおよびリレー制御装置が搭載された制御基板用寿命予告装置において、第１発明から第４発明の制御基板は、使用積算時間がタイマーにより積算され、前記積算時間が一定時間を超えた場合、前記リレーコイルが劣化しだす兆候であると判断して予告する予告手段を備えていることを特徴とする。
【００１２】
（第６発明）
第６発明のリレーコイルおよびリレー制御装置が搭載された制御基板用寿命予告装置において、第１発明から第５発明の予告手段は、前記リレーコイルが劣化しだす兆候を表す予め記憶されているリレーコイルの電流、電圧、抵抗値と、前記リレーコイルが劣化しだす兆候を表す予め記憶されているリレーコイルの電流、電圧、抵抗値変化を複数として、予告を複数段階にすることを特徴とする。
【発明の効果】
【００１３】
本発明によれば、電子機器を構成する電子部品の中で、リレーコイルの寿命が一番短いことに着目し、前記リレーコイルの寿命が来る前に、前記リレーコイルが劣化しだす兆候により、前記リレーコイルの寿命を把握して、電子機器が機能停止に陥る前に、交換または修理等の対策を立て易くすることができる。
【００１４】
本発明によれば、リレーコイルを流れる電流により、銅線の被膜が劣化して、絶縁が破壊される程度により、リレーが劣化しだす兆候を把握して、電子機器が異常停止する前に、予告を行なうことができ、電子機器または制御基板等の交換、または修理に対する対策を早くとることができる。また、前記速い対策は、ユーザにとって、電子機器が使用できない期間を最低限に抑えることができる。
【００１５】
本発明によれば、リレーコイルを流れる電流、リレーコイルに印加される電圧、あるいはリレーコイルの抵抗等簡単に測定できる値を基にして、制御基板に搭載されたリレー、電子部品等が劣化しだす兆候を簡単に把握することができ、ユーザに対して、修理あるいは交換のための時間のロスあるいは損益を招くことがない。
【００１６】
本発明によれば、リレーコイルを流れる電流、リレーコイルに印加される電圧、あるいはリレーコイルの抵抗等簡単に測定できる値を基にして、所定時間に対する変化を監視することで、リレーが劣化する兆候をいち早く予告することができる。
【００１７】
本発明によれば、リレーコイルを流れる電流、リレーコイルに印加される電圧、あるいはリレーコイルの抵抗、これらの所定時間に対する変化、あるいは電子機器の使用積算時間等を監視することで、どれか一つにでも、リレーが劣化しだす兆候を把握することにより、修理あるいは交換のための対策を立てることが容易にできる。
【発明を実施するための最良の形態】
【００１８】
（第１発明）
第１発明のリレーコイルおよびリレー制御装置が搭載された制御基板用寿命予告装置は、リレーコイルおよびリレー制御装置が少なくとも搭載されている制御基板と、前記制御基板に搭載された電子部品を制御する制御手段とを備えているとともに、前記リレーコイルが劣化しだす兆候をリレーコイルの寿命が近づいているとして予告するものである。前記制御基板と制御手段は、説明上分けてあるが、通常一体のものである。また、前記制御基板に搭載された電子部品は、リレーコイル、リレー制御装置、およびその他の回路部品等を含む。さらに、前記制御基板は、前記リレーコイル、リレー制御装置、電子部品が取り付けられているものであり、特別に意味のあるものではない。
【００１９】
前記リレーコイルおよびリレー制御装置が少なくとも搭載された制御基板は、たとえば、電子機器を制御するためのものであり、リレー寿命予告装置を備えている。前記電子機器における制御基板は、リレーコイル以外に回路部品が多く搭載されている。本出願人は、前記リレーコイルと、その他の多くの回路部品とを比較すると、リレーコイルの寿命が一番短いことに着目し、本発明のような構成にした。すなわち、本発明のリレーコイルおよびリレー制御装置が搭載された制御基板用寿命予告装置を備えた電子機器は、自然に劣化が進行し、ある日突然、制御基板の回路が停止して、ユーザに不便を掛けることがない。
【００２０】
第１発明のリレーコイルおよびリレー制御装置が搭載された制御基板用寿命予告装置は、監視手段と、劣化判断手段と、予告手段とから少なくとも構成されている。前記監視手段は、前記制御基板に搭載されたリレーコイルを流れる電流、印加電圧、抵抗の少なくとも一つを監視する。前記劣化判断手段は、前記電流、電圧、抵抗の少なくとも一つの値と、予めリレーコイルが劣化しだす兆候を示す電流、電圧、抵抗の値とを比較し、予め決められた値を上回るか、あるいは下回った場合に前記リレーコイルが劣化したと判断する。前記予告手段は、前記劣化判断手段によって劣化であると判断した場合、リレーの寿命が近づいていることを予告する。前記予告は、設定等を行なうリモートコントローラ等の表示部等によって行なうことができる。また、前記予告は、ブザー、チャイム等の音、および／またはメッセージにより行なうことができる。
【００２１】
（第２発明）
第２発明のリレーコイルおよびリレー制御装置が搭載された制御基板用寿命予告装置は、リレーコイルの電流、電圧、抵抗の一つにおける所定時間、たとえば、数時間または数週間の間に、どの程度変化しているかに注目する点で、第１発明と異なっている。すなわち、第２発明は、監視手段によって、前記リレーコイルを流れる電流、印加電圧、抵抗の少なくとも一つを監視し、比較演算手段によって前記監視手段から得られたリレーコイルの電流、電圧、抵抗の一つにおける所定時間当たりの変化を演算する。
【００２２】
変化値比較判断手段は、前記比較演算手段によって演算された前記リレーコイルの電流、電圧、抵抗の値変化と、前記リレーコイルが劣化しだす兆候を表す予め記憶されているリレーコイルの電流、電圧、抵抗の変化とを比較して、前記リレーコイルが劣化しだした兆候を判断し、予告手段によって前記リレーコイルの劣化を早めに予告し、電子機器の修理、交換に対する対策を立てる余裕をもたせることができる。
【００２３】
（第３発明）
第３発明のリレーコイルおよびリレー制御装置が搭載された制御基板用寿命予告装置は、第１発明における前記電流、電圧、抵抗の少なくとも一つの値と、予めリレーコイルが劣化しだす兆候を示す電流、電圧、抵抗の値とを比較し、予め決められた値を上回るか、あるいは下回った場合に前記リレーコイルが劣化しだす兆候があると判断する劣化判断手段と、第２発明における前記リレーコイルの電流、電圧、抵抗の値の変化と、前記リレーコイルが劣化の兆候を表す予め記憶されているリレーコイルの電流、電圧、抵抗の値の変化とを比較して、前記リレーコイルが劣化しだした兆候を判断する変化値比較判断手段とを有する点にある。第３発明は、前記劣化判断手段と変化値比較判断手段とを備えていることにより、前記リレーコイルが劣化しだす兆候を早くユーザに予告することができる。
【００２４】
（第４発明）
第４発明のリレーコイルおよびリレー制御装置が搭載された制御基板用寿命予告装置は、監視手段と、抵抗値変換手段と、比較判断手段と、予告手段と、から少なくとも構成されている点で、第１発明から第３発明と異なっている。前記監視手段は、前記制御基板に搭載されたリレーコイルを流れる電流または印加電圧を監視する。前記抵抗値変換手段は、前記監視手段によって得られた電流または電圧によって前記リレーコイルの抵抗値に変換する。前記比較判断手段は、前記抵抗値変換手段によって変換された前記リレーコイルの抵抗値に基づいて、前記リレーコイルが劣化しだす兆候を把握する。前記予告手段は、前記比較判断手段によってリレーコイルが劣化しだす兆候であると判断した場合、リレーが劣化しだす兆候があることを予告する。前記予告は、設定等を行なうリモートコントローラ等によって行なうことができる。また、前記予告は、ブザー、チャイム等の音、および／またはメッセージにより行なうことができる。
【００２５】
（第５発明）
第５発明のリレーコイルおよびリレー制御装置が搭載された制御基板用寿命予告装置は、制御基板の使用積算時間がタイマーにより積算され、前記積算時間が予め記憶されている所定時間を超えた場合、前記リレーコイルが劣化しだす兆候であると判断して、予告する予告手段を備えている。すなわち、第５発明は、前記リレーコイルの抵抗等の変化、抵抗等の時間に対する変化、および使用積算時間から前記制御基板の寿命を監視するようにすることで、電子機器に対する修理、交換の時期を早めに予告することができる。
【００２６】
（第６発明）
第６発明のリレーコイルおよびリレー制御装置が搭載された制御基板用寿命予告装置は、第１発明から第５発明が測定された前記リレーコイルの電流、電圧、抵抗値の少なくとも一つと、前記リレーコイルが劣化しだす兆候を表す予め記憶されているリレーコイルの電流、電圧、抵抗値の少なくとも一つとを比較することにより、予告するようにしているのに対して、予告の段階を複数とする点にある。第６発明は、前記予告手段の予告を複数段階にすることにより、電子機器の充分な対策を立てることが余裕を持って行える。たとえば、第１段階の予告は、メッセージのみとし、第２段階の予告をメッセージと音等の警報にすることができる。
【実施例１】
【００２７】
図１は本発明の実施例であるリレーコイルおよびリレー制御装置が搭載された制御基板用寿命予告装置の概略を説明するためのブロック構成図である。図１において、リレーコイルおよびリレー制御装置が搭載された制御基板用寿命予告装置は、電源回路１１１と、リレーコイルおよびリレー制御装置が搭載された制御基板１１２と、前記制御基板１１２によって操作される電子機器１１５と、前記制御基板１１２を制御する制御手段１１３と、前記制御手段１１３の設定等を離れた位置で行なうことができるリモートコントローラ１１４とから構成されている。前記制御基板１１２および制御手段１１３は、本実施例において、予告装置を説明し易くするために分けて記載されているが、通常一体に構成されているものである。
【００２８】
図２は本発明の第１実施例であるリレーコイルおよびリレー制御装置が搭載された制御基板用寿命予告装置の制御手段を説明するためのブロック構成図である。図２において、制御手段１１３は、前記制御基板１１２（図１）におけるリレーコイル（図示されていない）の電流、電圧、あるいは抵抗等を監視する監視手段２１１と、前記電流、電圧を必要に応じて、抵抗値に変換する抵抗値変換手段２１２と、前記リレーコイルが劣化しだす兆候を現す際の抵抗等を予め記憶するリレーコイル抵抗値記憶手段２１３と、前記監視手段２１１によって監視する際に得られた電流、電圧から変換された抵抗値と、予め記憶されている前記リレーコイル抵抗値記憶手段２１３に記憶されている抵抗値とを比較する比較判断手段２１４と、前記比較判断手段２１４により、前記抵抗値が前記リレーコイルが劣化しだす兆候を現す抵抗値になっていると判断した場合、たとえば、リモートコントローラ１１４（図１）に送信するリレー寿命予告送信手段２１５と、前記監視手段２１１により、電子機器１１５の使用積算時間を演算して、所定以上の時間になった場合、前記リレー寿命予告送信手段２１５にその値を送るタイマー２１６と、前記各手段およびタイマー２１６を制御する制御回路２１７とから構成されている。
【００２９】
図３は本発明の第１実施例であるリレーコイルおよびリレー制御装置が搭載された制御基板用寿命予告装置の制御手段の動作を説明するフローチャートである。図２および図３において、監視手段２１１は、リレー（図示されていない）コイルの電流または電圧を、たとえば、タイマー２１６により、所定時間間隔で監視している（ステップ３１１）。前記監視手段２１１は、タイマー２１６により予め決められた所定時間間隔で、たとえば、電流と電圧を測定する（ステップ３１２、ステップ３１３）。抵抗値変換手段２１２は、前記電流と電圧を基にして、リレーコイルの抵抗値に変換する（ステップ３１４）。
【００３０】
前記比較判断手段２１４は、前記抵抗値と、リレーコイル抵抗値記憶手段２１３に予め決められているリレーが劣化しだす兆候を示す抵抗値とを比較するとともに、前記抵抗値が所定の値より小さくなっているか否かを調べる（ステップ３１５）。前記比較判断手段２１４は、リレーコイル抵抗値記憶手段２１３に記憶されている予め決められた抵抗値より小さいと判断した場合、リレー寿命予告送信手段２１５を介してリレー寿命予告をリモートコントローラ１１４（図１）に送信する（ステップ３１６）。
【００３１】
前記リモートコントローラ１１４（図１）は、前記リレー寿命予告信号を受信して、予告を音および／またはメッセージ等により、ユーザに前記電子機器１１５（図１）が劣化しだす兆候が出ていることを知らせる（ステップ３１７）。また、必要に応じて、制御回路２１７は、電子機器の使用積算時間をタイマー２１６に演算させる（ステップ３１８）。前記制御回路２１７は、前記使用積算時間が、前記タイマー２１６に予め記憶されている使用積算時間を超えたか否かを調べる（ステップ３１９）。前記制御回路２１７は、電子機器におけるリレーコイルが前記使用積算時間を越えていると判断した場合、ステップ３１６およびステップ３１７により、リモートコントローラ１１４に予告音の発生および／または表示装置にメッセージを表示する。
【００３２】
ステップ３１２、ステップ３１５、およびステップ３１９において、「Ｎｏ」の場合、制御回路２１７は、監視手段２１１によりリレーコイルの監視を継続させる。
【実施例２】
【００３３】
図４は本発明の第２実施例であるリレーコイルおよびリレー制御装置が搭載された制御基板用寿命予告装置の制御手段を説明するためのブロック構成図である。図４において、第２実施例は、リレーの抵抗値の変化を監視する点で第１実施例と異なっている。比較演算手段４１４は、監視手段４１１により監視され、抵抗値変換手段４１２により変換された抵抗が、予め決められた所定の時間当たりどの程度小さくなっているかを演算する。リレーコイル抵抗値変化記憶手段４１５は、リレーが劣化しだす兆候を把握できる抵抗値の変化が予め記憶されている。
【００３４】
抵抗値変化判断手段４１６は、前記測定された抵抗値の変化と、予めリレーコイル抵抗値変化記憶手段４１５に記憶されている抵抗値の変化を比較し、前記抵抗値の変化が予め決められた値より大きいと判断した場合、リレー寿命予告送信手段４１７からリモートコントローラ１１４に予告信号を送信する。その他の構成は、第１実施例と同じである。
【００３５】
図５は本発明の第２実施例であるリレーコイルおよびリレー制御装置が搭載された制御基板用寿命予告装置の制御手段の動作を説明するフローチャートである。図４および図５において、監視手段４１１は、リレーコイル（図示されていない）の電流または電圧を監視している（ステップ５１１）。前記監視手段４１１は、タイマー４１３により予め決められた所定時間間隔で、たとえば、電流と電圧を測定する（ステップ５１３）。前記抵抗値変換手段４１２は、前記電流と電圧の所定時間当たりに対して、リレーコイルの抵抗値に変換する（ステップ５１４）。
【００３６】
前記比較演算手段４１４は、前記タイマー４１３の予め決められた所定時間に変化した抵抗値変化を演算する（ステップ５１５）。前記抵抗値変化判断手段４１６は、前記演算された抵抗値変化と、リレーコイル抵抗値変化記憶手段４１５に予め決められている抵抗値変化とを比較判断するとともに、前記抵抗値変化が所定の値より大きいか否かを調べる（ステップ５１６）。前記抵抗値変化判断手段４１６は、リレーコイル抵抗値変化記憶手段４１５に記憶されている予め決められた抵抗値変化より大きいと判断した場合、リレー寿命予告送信手段４１７を介してリレー寿命予告をリモートコントローラ１１４に送信する（ステップ５１７）。
【００３７】
前記リモートコントローラ１１４（図１）は、前記リレー寿命予告信号を受信して、予告を音を発生および／またはメッセージ等を表示装置に表示し、ユーザに前記電子機器１１５（図１）が劣化しだす兆候が出ていることを知らせる（ステップ５１８）。また、必要に応じて、制御回路４１８は、第１実施例のように、予め決められた抵抗値より低いか否かを調べる（ステップ５１９）。前記制御回路４１８は、前記抵抗値が予め決められたリレーが劣化しだす兆候となる値より小さい場合、リレー寿命予告送信手段４１７を介してリモートコントローラ１１４から予告を発するかまたはメッセージを表示する（ステップ５１７、ステップ５１８）。
【００３８】
前記制御回路４１８は、電子機器１１５の使用積算時間をタイマー４１３にリレー使用積算時間を演算させる（ステップ５２０）。前記制御回路４１８は、前記使用積算時間が、前記タイマー４１３に予め記憶されている使用積算時間を超えたか否かを調べる（ステップ５２１）。前記制御回路４１８は、電子機器１１５におけるリレーコイルが前記使用積算時間を越えていると判断した場合、ステップ５１７およびステップ５１８により、リモートコントローラ１１４に予告音またはメッセージを表示する。
【００３９】
ステップ５１２、ステップ５１６、ステップ５１９（図５において、＊どうしは互いに接続されている）およびステップ５２１において、「Ｎｏ」の場合、制御回路４１８は、監視手段４１１によりリレーコイルの監視を継続する。
【００４０】
以上、本発明の実施例を詳述したが、本発明は、前記実施例に限定されるものではない。そして、本発明は、特許請求の範囲に記載された事項を逸脱することがなければ、種々の設計変更を行うことが可能である。たとえば、本実施例におけるブロックは、公知または周知の技術手段によって達成できる。また、本実施例における電子機器は、リレーコイルおよびリレー制御装置等が搭載された制御基板を有するものであれば、用途に限定されない。また、前記制御基板には、特に限定されない。
【図面の簡単な説明】
【００４１】
【図１】本発明の実施例であるリレーコイルおよびリレー制御装置が搭載された制御基板用寿命予告装置の概略を説明するためのブロック構成図である。
【図２】本発明の第１実施例であるリレーコイルおよびリレー制御装置が搭載された制御基板用寿命予告装置の制御手段を説明するためのブロック構成図である。（実施例１）
【図３】本発明の第１実施例であるリレーコイルおよびリレー制御装置が搭載された制御基板用寿命予告装置の制御手段の動作を説明するフローチャートである。
【図４】本発明の第２実施例であるリレーコイルおよびリレー制御装置が搭載された制御基板用寿命予告装置の制御手段を説明するためのブロック構成図である。（実施例２）
【図５】本発明の第２実施例であるリレーコイルおよびリレー制御装置が搭載された制御基板用寿命予告装置の制御手段の動作を説明するフローチャートである。
【図６】突入電流抑制回路制御装置における従来例を説明するための図である。
【符号の説明】
【００４２】
１１１・・・電源回路
１１２・・・制御基板
１１３・・・制御手段
１１４・・・リモートコントローラ
１１５・・・電子機器
２１１・・・監視手段
２１２・・・抵抗値変換手段
２１３・・・リレーコイル抵抗値記憶手段
２１４・・・比較判断手段
２１５・・・リレー寿命予告送信手段
２１６・・・タイマー
２１７・・・制御回路
４１１・・・監視手段
４１２・・・抵抗値変換手段
４１３・・・タイマー
４１４・・・比較演算手段
４１５・・・リレーコイル抵抗値変化記憶手段
４１６・・・抵抗値変化判断手段
４１７・・・リレー寿命予告送信手段
４１８・・・制御回路
【図１】
2007127522.tif 000003
【図２】
2007127522.tif 000004
【図３】
2007127522.tif 000005
【図４】
2007127522.tif 000006
【図５】
2007127522.tif 000007
【図６】
2007127522.tif 000008